(57)【要約】【課題】子機の機能を削減することなく、子機のメモリ容量を減少することのできるコードレス親子電話装置を提供する。【解決手段】電話回線網に接続される親機１０と、この親機１０と電波によって情報の交信を行う少なくとも１台の子機３０とから構成されるコードレス親子電話装置において、子機固有のデータの少なくとも一部を記憶する子機固有データメモリエリア２１１〜２１ｎを有するメモリ２１を親機１０に設け、子機３０および親機１０には、子機固有データメモリエリア２１１〜２１ｎへのデータの保存および読み出しを子機３０および親機１０相互間で行うためのデータ受信回路１８，３７、データ送出回路２０，３６を設けた。これにより、子機３０のメモリ容量を減少させることができる。また、子機３０を交換した場合などでも、再設定することなく、今まで設定していた状態とほぼ同じ状態で使用することができる。【選択図】図１
2005094431.tif 000002
【特許請求の範囲】
【請求項１】
電話回線網に接続される親機と、この親機と電波によって情報の交信を行う少なくとも１台の子機とから構成されるコードレス親子電話装置において、
前記子機固有のデータの少なくとも一部を記憶する子機固有データ記憶手段を、前記親機に設け、前記子機および親機には、前記子機固有データ記憶手段へのデータの保存および読み出しを子機および親機相互間で行うための送受信手段を設けたことを特徴とするコードレス親子電話装置。
【請求項２】
前記親機に設けられる前記子機固有データ記憶手段に保存するデータには、当該子機の電話帳データ、発信履歴データ、着信履歴データ、ワンタッチダイヤルデータ、各種機能登録の少なくとも一つが含まれることを特徴とする請求項１記載のコードレス親子電話装置。
【発明の詳細な説明】
【技術分野】
【０００１】
本発明は、それぞれ独自の機能を持たせることのできる親機と子機とで構成されるコードレス親子電話装置に関するものである。
【背景技術】
【０００２】
コードレス親子電話装置は、電話回線網に接続される親機と、この親機と電波により情報の交信を行う少なくとも１台の子機とから構成される。子機はパーソナルな用途が多いため、従来においては、子機固有のデータは子機のメモリに、親機固有のデータは親機のメモリに格納している（例えば、特許文献１参照）。
【０００３】
図６は、従来の親機と２台の子機の固有のデータの例を示すテーブルを示す図である。いずれも、自機の電話帳データ、発信履歴データ、着信履歴データ、各種の機能登録の内容を含んでいる。
【特許文献１】特開平６−２８４０８４号公報（段落０００８−０００９、図３）
【発明の開示】
【発明が解決しようとする課題】
【０００４】
近年では、電話機も多機能、高機能化が進み、各種のデータを記憶するメモリも大容量のものが要求されるようになっている。また、子機の台数も２台〜４台に対応したものが提供されている。そうすると、子機の台数分だけ、大容量のメモリを搭載しなければならず、全体のコストも高くなる。
【０００５】
また、子機が故障して新品と交換した場合、元の子機に登録されていた各種データが復元できない場合があり、改めて再設定やデータの登録をし直さなければならないという問題もある。
【０００６】
本発明は、子機の機能を削減することなく、子機のメモリ容量を減少することのできるコードレス親子電話装置を提供することを目的とする。
【課題を解決するための手段】
【０００７】
本発明は、コードレス親子電話装置において、子機固有のデータを親機側に保存することを主要な特徴とする。
【発明の効果】
【０００８】
本発明によれば、ほとんどの子機固有のデータを親機側に保存することにより、子機のＣＰＵ（中央処理装置）の外部記憶装置を取り外すか、きわめて小容量のものに交換することができる。
【０００９】
また、親機、子機システム全体での部品点数を減らすことにより、コスト削減が見込める。さらに、子機の主要な固有データを親機側に記憶させることにより、子機を交換した場合などでも、再設定することなく、今まで設定していた状態とほぼ同じ状態で使用することができる。
【発明を実施するための最良の形態】
【００１０】
本発明は、子機の機能を削減することなく、子機のメモリ容量を減少することのできるコードレス親子電話装置を提供するという目的を、子機固有のデータを親機側に保存することにより実現した。
【００１１】
上記課題を解決するためになされた第１の発明は、電話回線網に接続される親機と、この親機と電波によって情報の交信を行う少なくとも１台の子機とから構成されるコードレス親子電話装置において、子機固有のデータの少なくとも一部を記憶する子機固有データ記憶手段を親機に設け、子機および親機には、子機固有データ記憶手段へのデータの保存および読み出しを子機および親機相互間で行うための送受信手段を設けたものであり、子機のメモリ容量を減少させることができ、子機が多い場合に、親機と子機を合わせた全体の部品点数を減らすことができ、これによってコスト削減を実現することができる。また、子機固有のデータを親機側に記憶させることにより、子機を交換した場合などでも、再設定することなく、今まで設定していた状態とほぼ同じ状態で使用することができる。
【００１２】
上記課題を解決するためになされた第２の発明は、第１の発明において、親機に設けられる子機固有データ記憶手段に保存するデータには、当該子機の電話帳データ、発信履歴データ、着信履歴データ、ワンタッチダイヤルデータ、各種機能登録の少なくとも一つが含まれるようにしたものであり、メモリ容量を占めるこれらのデータを親機側に保存することで、子機のメモリ容量を大幅に削減することができる。
【００１３】
（実施の形態１）
以下、本発明の実施の形態について、各図に基づいて説明する。
【００１４】
図１は本発明の実施の形態に係るコードレス親子電話装置の親機と子機の概略構成を示すブロック図である。
【００１５】
図１において、コードレス親子電話装置は、電話回線網と接続される親機１０と、この親機１０と無線回線による電波Ｗを通じて接続される子機３０とで概略構成されている。なお、子機３０は、同じ構成の複数台の子機１，２…Ｎを代表する１つのみ示している。
【００１６】
親機１０には、局線に接続される回線接続端子１１と、着信を検出する着信検出回路１２と、回線を開閉する回線スイッチ１３とが設けられている。この回線スイッチ１３がオンの場合に、回線にダイヤル（電話番号）を送出するダイヤル送出回路１４と、発信及び着信の通話信号を処理する通話回路１５と、アンテナ１６とが設けられている。
【００１７】
また、親機１０には子機３０と無線回線の電波Ｗで通話路を形成する送受信処理を行う無線回路１７と、無線回路１７からのデータを処理するデータ受信回路１８と、親機１０の各部を制御するＣＰＵ（中央処理装置）１９とが設けられている。さらに、ＣＰＵ１９からのデータを無線回路１７に送出するデータ送出回路２０と、メモリ２１とが設けられている。メモリ２１には、親機１０の固有データを保存する親機固有データメモリエリア２１０、子機１の固有データを保存する子機１固有データメモリエリア２１１と、子機２の固有データを保存する子機２固有データメモリエリア２１２、・・・、子機Ｎの固有データを記憶する子機Ｎ固有データメモリエリア２１ｎが設けられている。
【００１８】
子機３０には、送受話器であるレシーバ３１及びマイクロホン３２と、このレシーバ３１とマイクロホン３２の音声信号を処理する音声信号処理回路３３と、アンテナ３４と、送受信信号を処理する無線回路３５と、ＣＰＵ３８からのデータを無線回路３５に送出するデータ送出回路３６とが設けられている。さらに、無線回路３５からのデータを処理するデータ受信回路３７と、子機３０の各部を制御するＣＰＵ３８と、外線発信のための外線ボタン、短縮ダイヤル登録のための登録ボタン、短縮ダイヤル発信のための短縮ボタン、前回ダイヤルした電話番号を再度ダイヤルするためのリダイヤルボタン、０から９までの数字と＊、＃ボタンで計１２個のダイヤルボタンを備える操作部３９とが設けられている。さらに、この子機３０には、呼出音を鳴動するブザー４０と、このブザー４０を鳴動
して呼出音を出力する呼出音信号出力回路４１と、親機１０に保存できない子機３０が必要とするデータを記憶するメモリ４２が設けられている。
【００１９】
ここで、従来の子機の固有データのうち、親機側への移行が可能なデータについて説明する。
【００２０】
図２は、従来の子機のメモリ内容と、親機への移動の可否についての対比テーブルを示す。ここで、電話帳データ、発信履歴データ、着信履歴データ、ワンタッチダイヤルデータ（特殊キーにてワンタッチで発信できる機能で、その特殊キーと、電話帳データを関連づけたもの）、呼出音量設定値、受話音量設定値、スピーカ音量設定値、ボイスセレクト設定値については移動可能である。機能登録のうち、オフフック応答設定値（機能登録３：充電中着信があった場合、充電を止めることで自動的に応答する機能）、着信音設定値（機能登録４：通常の着信があった場合に鳴動する音を選択する機能）、エニーキーアンサー設定値（機能登録６：着信中に子機のどのキーを押下しても着信に応答することができる機能）、着信なり分け設定値（機能登録７：着信相手により着信音を変える設定を行う機能）については移動可能である。ただし、子機名前データ（機能登録１：子機のＬＣＤ上に常に任意に設定した文字列を常に表示する事により子機を見分ける機能）、クイック通話設定値（機能登録２：充電中に充電台から上げる事により自動で親機と通信を開始し、回線をつなぐ機能）、キー確認音設定値（機能登録５：子機の操作によるキー押下の確認音のＯＮ／ＯＦＦを選択する）については、親機と通信することなく子機の操作単独で動作可能な機能であるため、親機への移動は不可である。
【００２１】
図３は、本実施の形態における親機と子機のメモリ構成例を示す概念図である。
【００２２】
親機のメモリ２１には、親機固有のデータと、子機１固有のデータと、子機２・・・子機Ｎの固有のデータがそれぞれ保存されている。子機１、子機２のメモリ４２には、前述のような機能登録１，２，５が保存されている。
【００２３】
次に、本実施の形態における親機と子機の間のデータのやりとりを、図４および図５を用いて説明する。
【００２４】
図４は親機側に保存されている電話帳データを子機から検索および修正の流れを示すフローチャート、図５はベル着信音の設定と着信時の着信音データの送信を示すフローチャートである。
【００２５】
図４において、子機から電話帳検索操作をすると（ステップＳ１）、その信号が、データ送出回路３６、無線回路３５を介して、子機の識別コードと共にアンテナ３４から無線で親機１０に送られる。親機１０では、アンテナ１６から受信した信号をデータ受信回路１８によりＣＰＵ１９に送る。ＣＰＵ１９では、どの子機からどのような操作信号が来たかを判定し、メモリ２１内の該当する子機固有データメモリエリアの電話帳データを探索し、空き件数をデータ送出回路２０、無線回路１７を経てアンテナ１６を介して当該子機に対して送出する（ステップＳ２）。子機３０では、アンテナ３４で受けた信号を無線回路３５、データ受信回路３７を介してＣＰＵ３８で判定する。ＣＰＵ３８ではその信号が自分宛かどうかを判定し、そうであれば、受信した空き件数データをディスプレイ（図示せず）に表示する（ステップＳ３）。
【００２６】
次いで、子機から例えば１件目のデータを要求する（ステップＳ４）。その信号を受けた親機は、その要求に応じて電話帳の１件目のデータを送出する（ステップＳ５）。子機には１件目のデータが受信されるので、そのデータを表示したり、必要に応じて修正、登録の操作を行う（ステップＳ７）。修正、登録の指示を受けた親機は、１件目のデータを
上書き保存する（ステップＳ８）。このようにして、子機は従来と同様な操作を行うことで、親機側のメモリ２１に格納されたデータの取り込み、変更を行うことができる。
【００２７】
その他の機能設定についても同様の操作で親機側のメモリ２１に設定データを保存することができる。
【００２８】
次に、着信時の動作について、図５に基づいて説明を行う。
【００２９】
子機から着信音設定操作をすると（ステップＳ１１）、その信号が親機に伝送され、その子機の固有データメモリエリアに着信音が保存される（ステップＳ１２）。これは、初期の設定である。
【００３０】
親機が子機宛の電話番号を電話回線網から着信すると、親機は該当子機に対してまず着信音データを送出する（ステップＳ２１）。着信音データを受信した子機は、子機のＣＰＵ３８（図１参照）に対して子機自信の着信音を受信し、設定する（ステップＳ２２）。次いで親機は、ベルデータを送出する（ステップＳ２３）。子機では、そのベルデータに応じて、着信音を鳴動させ、子機のユーザを呼び出す（ステップＳ２４）。
【００３１】
呼び出された子機のユーザは、操作部３９の受信ボタンを押し、レシーバ３１およびマイクロホン３２を用いて発信者と会話を行う。会話をする以降の動作については従来と同様であるので説明を省略する。
【産業上の利用可能性】
【００３２】
本発明は、子機の機能を削減することなく、子機のメモリ容量を減少することのできるコードレス親子電話装置に有用に適用することができる。
【図面の簡単な説明】
【００３３】
【図１】本発明の実施の形態に係るコードレス親子電話装置の親機と子機の概略構成を示すブロック図
【図２】従来の子機のメモリ内容と、親機への移動の可否についての対比テーブルを示す図
【図３】本実施の形態における親機と子機のメモリ構成例を示す概念図
【図４】親機側に保存されている電話帳データを子機から検索および修正の流れを示すフローチャート
【図５】ベル着信音の設定と着信時の着信音データの送信を示すフローチャート
【図６】従来の親機と２台の子機の固有のデータの例を示すテーブルを示す図
【符号の説明】
【００３４】
１０    親機
１１    回線接続端子
１２    着信検出回路
１３    回線スイッチ
１４    ダイヤル送出回路
１５    通話回路
１６    アンテナ
１７    無線回路
１８    データ受信回路
１９    ＣＰＵ（中央処理装置）
２０    データ送出回路
２１    メモリ
３０    子機
３１    レシーバ
３２    マイクロホン
３３    音声信号処理回路
３４    アンテナ
３５    無線回路
３６    データ送出回路
３７    データ受信回路
３８    ＣＰＵ
３９    操作部
４０    ブザー
４１    呼出音信号出力回路
４２    メモリ
２１０    親機固有データメモリエリア
２１１，２１２〜２１ｎ    子機固有データメモリエリア
【図１】
2005094431.tif 000003
【図２】
2005094431.tif 000004
【図３】
2005094431.tif 000005
【図４】
2005094431.tif 000006
【図５】
2005094431.tif 000007
【図６】
2005094431.tif 000008